(57)【要約】本発明は、端末による情報報告方法及び装置、コンピュータ記憶媒体を開示し、前記方法は、端末はＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をＳＭＦに送信し、さらに前記ＳＭＦを介して前記ＵＥ関連情報をＰＣＦに送信するステップを含む。【選択図】図２
2021516480.tif 000002
【特許請求の範囲】
【請求項１】
端末による情報報告方法であって、前記方法は、
アクセスネットワークエンティティＲＡＮは端末によって送信された第１のメッセージを受信するステップであって、前記第１のメッセージは第１の識別子とＵＥ関連情報とを含むステップと、
前記ＲＡＮはユーザプレーン機能エンティティＵＰＦに前記第１の識別子と前記ＵＥ関連情報とを含む第２のメッセージを送信することにより、前記ＵＰＦを介して前記第２のメッセージでの前記第１の識別子を識別した後、前記ＵＥ関連情報をコントロールプレーンエンティティに送信するステップと、を含む端末による情報報告方法。
【請求項２】
前記コントロールプレーンエンティティはセッション管理機能エンティティＳＭＦであり、前記ＳＭＦを介して前記ＵＥ関連情報をポリシー制御機能エンティティＰＣＦに送信する請求項１に記載の方法。
【請求項３】
前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む請求項１に記載の方法。
【請求項４】
前記第１のメッセージのＡＳ層パケットヘッダは、ＳＤＡＰ層パケットヘッダ、又はパケットデータ集約プロトコルＰＤＣＰ層パケットヘッダ、又は無線リンク層制御ＲＬＣ層パケットヘッダ、又はメディアアクセス制御ＭＡＣ層パケットヘッダ、又は物理ＰＨＹ層パケットヘッダである請求項３に記載の方法。
【請求項５】
前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む請求項１に記載の方法。
【請求項６】
前記ＵＥ関連情報は、
ＵＥルート選択ポリシーＵＲＳＰ情報、ＷＬＡＮ選択ポリシーＷＬＡＮＳＰ情報、ＵＥステータス情報の少なくとも１つを含む請求項１〜請求項５のいずれか１項に記載の方法。
【請求項７】
端末による情報報告方法であって、前記方法は、
端末はＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をコントロールプレーンエンティティに送信するステップを含む端末による情報報告方法。
【請求項８】
前記コントロールプレーンエンティティはＳＭＦであり、前記ＳＭＦを介して前記ＵＥ関連情報をＰＣＦに送信する請求項７に記載の方法。
【請求項９】
前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む請求項７に記載の方法。
【請求項１０】
前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである請求項９に記載の方法。
【請求項１１】
前記端末はＲＡＮに第１のメッセージを送信する前に、前記方法はさらに、
前記ＳＭＦを介して前記ＵＰＦにセッション更新メッセージを送信して、前記ＵＰＦを介してセッション更新を行うために、前記端末は前記ＳＭＦに第１の指示メッセージを送信するステップを含み、
前記第１の指示メッセージと前記セッション更新メッセージには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる請求項７〜請求項１０のいずれか１項に記載の方法。
【請求項１２】
前記ＵＥ関連情報は、
ＵＲＳＰ情報、ＷＬＡＮＳＰ情報、ＵＥステータス情報の少なくとも１つを含む請求項７〜請求項１１のいずれか１項に記載の方法。
【請求項１３】
端末による情報報告方法であって、前記方法は、
ＵＰＦはＲＡＮによって送信された第２のメッセージを受信するステップであって、前記第２のメッセージは前記第１の識別子と前記ＵＥ関連情報とを含むステップと、
前記ＵＰＦは前記第２のメッセージでの前記第１の識別子を識別した後、前記ＵＥ関連情報をコントロールプレーンエンティティに送信するステップと、を含む端末による情報報告方法。
【請求項１４】
前記コントロールプレーンエンティティはＳＭＦであり、前記ＳＭＦを介して前記ＵＥ関連情報をＰＣＦに送信する請求項１３に記載の方法。
【請求項１５】
前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む請求項１３に記載の方法。
【請求項１６】
前記ＵＰＦはＲＡＮによって送信された第２のメッセージを受信する前に、前記方法はさらに、
前記ＵＰＦは前記ＳＭＦによって送信されたセッション更新メッセージを受信し、セッション更新を行い、前記ＵＰＦがセッション更新を行った後、前記ＲＡＮによって送信された前記第２のメッセージでの前記第１の識別子を識別し、前記ＵＥ関連情報を前記ＳＭＦに送信することができるステップを含む請求項１３に記載の方法。
【請求項１７】
前記ＵＥ関連情報は、
ＵＲＳＰ情報、ＷＬＡＮＳＰ情報、ＵＥステータス情報の少なくとも１つを含む請求項１３〜請求項１６のいずれか１項に記載の方法。
【請求項１８】
端末による情報報告用装置であって、前記装置は、
端末によって送信された第１の識別子とＵＥ関連情報とを含む第１のメッセージを受信するための受信ユニットと、
ＵＰＦに前記第１の識別子と前記ＵＥ関連情報とを含む第２のメッセージを送信することにより、前記ＵＰＦを介して前記第２のメッセージでの前記第１の識別子を識別した後、前記ＵＥ関連情報をコントロールプレーンエンティティに送信するための送信ユニットと、を含む端末による情報報告用装置。
【請求項１９】
前記コントロールプレーンエンティティはＳＭＦであり、前記ＳＭＦを介して前記ＵＥ関連情報をＰＣＦに送信する請求項１８に記載の装置。
【請求項２０】
前記第１のメッセージは第１の識別子とＵＥ関連情報とを含むことは、
前記第１のメッセージのＡＳパケットヘッダには前記第１の識別子が載せられ、前記第１のメッセージのパケット本体には前記ＵＥ関連情報が載せられることを含む請求項１８に記載の装置。
【請求項２１】
前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである請求項２０に記載の装置。
【請求項２２】
前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む請求項１８に記載の装置。
【請求項２３】
前記ＵＥ関連情報は、
ＵＲＳＰ情報、ＷＬＡＮＳＰ情報、ＵＥステータス情報の少なくとも１つを含む請求項１８〜請求項２２のいずれか１項に記載の装置。
【請求項２４】
端末による情報報告用装置であって、前記装置は、
ＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をコントロールプレーンエンティティに送信するための第１の送信ユニットを含む端末による情報報告用装置。
【請求項２５】
前記コントロールプレーンエンティティはＳＭＦであり、前記ＳＭＦを介して前記ＵＥ関連情報をＰＣＦに送信する請求項２４に記載の装置。
【請求項２６】
前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む請求項２４に記載の装置。
【請求項２７】
前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである請求項２６に記載の装置。
【請求項２８】
前記装置はさらに、
前記ＳＭＦを介して前記ＵＰＦにセッション更新メッセージを送信し、前記ＵＰＦを介してセッション更新を行うために、前記ＳＭＦに第１の指示メッセージを送信するための第２の送信ユニットを含み、
前記第１の指示メッセージと前記セッション更新メッセージには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる請求項２４〜請求項２７のいずれか１項に記載の装置。
【請求項２９】
前記ＵＥ関連情報は、
ＵＲＳＰ情報、ＷＬＡＮＳＰ情報、ＵＥステータス情報の少なくとも１つを含む請求項２４〜請求項２８のいずれか１項に記載の装置。
【請求項３０】
端末による情報報告用装置であって、前記装置は、
ＲＡＮによって送信された前記第１の識別子と前記ＵＥ関連情報とを含む第２のメッセージを受信するための第１の受信ユニットと、
前記第２のメッセージでの前記第１の識別子を識別するための識別ユニットと、
前記ＵＥ関連情報をコントロールプレーンエンティティに送信するための送信ユニットと、を含む端末による情報報告用装置。
【請求項３１】
前記コントロールプレーンエンティティはＳＭＦであり、前記ＳＭＦを介して前記ＵＥ関連情報をＰＣＦに送信する請求項３０に記載の装置。
【請求項３２】
前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む請求項３０に記載の装置。
【請求項３３】
前記装置はさらに、
前記ＳＭＦによって送信されたセッション更新メッセージを受信するための第２の受信ユニットと、
セッション更新を行うためのセッション更新ユニットであって、前記ＵＰＦがセッション更新を行った後、前記ＲＡＮによって送信された前記第２のメッセージでの前記第１の識別子を識別し、前記ＵＥ関連情報を前記ＳＭＦに送信することができるセッション更新ユニットと、を含む請求項３０に記載の装置。
【請求項３４】
前記ＵＥ関連情報は、
ＵＲＳＰ情報、ＷＬＡＮＳＰ情報、ＵＥステータス情報の少なくとも１つを含む請求項３０〜請求項３３のいずれか１項に記載の装置。
【請求項３５】
コンピュータ記憶媒体であって、前記コンピュータ記憶媒体にコンピュータ実行可能な命令が記憶され、当該コンピュータ実行可能な命令がプロセッサによって実行されるとき、請求項１〜請求項６のいずれか１項に記載の方法のステップ、又は請求項７〜請求項１２のいずれか１項に記載の方法のステップ、又は請求項１３〜請求項１７のいずれか１項に記載の方法のステップを実現するコンピュータ記憶媒体。
【発明の詳細な説明】
【技術分野】
【０００１】
本発明は、無線通信技術の分野に関し、特に端末による情報報告方法及び装置、コンピュータ記憶媒体に関する。
【背景技術】
【０００２】
ビッグデータ技術の出現に伴い、端末のリアルタイムの状況に基づいて端末に戦略を変更することは非常に重要になっている。端末は、現在、例えば、端末の現在の位置、端末の現在のデータ使用量などの無線通信に関するデータを報告することができず、端末は、ＯＴＴ（Ｏｖｅｒ  Ｔｈｅ  Ｔｏｐ）サーバにアプリケーションに関するデータのみを報告することができる。
【０００３】
端末がいかにしてコアネットワークに無線通信に関するデータを報告することは解決しようとする問題である。
【発明の概要】
【発明が解決しようとする課題】
【０００４】
本発明の実施例は、上記技術的問題を解決するために、端末による情報報告方法及び装置、コンピュータ記憶媒体を提供する。
【課題を解決するための手段】
【０００５】
本発明の実施例に係る端末による情報報告方法は、
アクセスネットワークエンティティ（ＲＡＮ、Ｒａｄｉｏ  Ａｃｃｅｓｓ  Ｎｅｔｗｏｒｋ）は端末によって送信された第１のメッセージを受信するステップであって、前記第１のメッセージは第１の識別子とＵＥ関連情報とを含むステップと、
前記ＲＡＮはユーザプレーン機能エンティティ（ＵＰＦ、Ｕｓｅｒ  Ｐｌａｎｅ  Ｆｕｎｃｔｉｏｎ）に第２のメッセージを送信することにより、前記ＵＰＦを介して前記第２のメッセージでの前記第１の識別子を識別した後、前記ＵＥ関連情報をコントロールプレーンエンティティに送信するステップであって、前記第２のメッセージは前記第１の識別子と前記ＵＥ関連情報とを含むステップと、を含む。
【０００６】
本発明の実施例において、前記コントロールプレーンエンティティは、セッション管理機能エンティティ（ＳＭＦ、Ｓｅｓｓｉｏｎ  Ｍａｎａｇｅｍｅｎｔ  Ｆｕｎｃｔｉｏｎ）であり、前記ＳＭＦを介して前記ＵＥ関連情報をポリシー制御機能エンティティ（ＰＣＦ、Ｐｏｌｉｃｙ  Ｃｏｎｔｒｏｌ  Ｆｕｎｃｔｉｏｎ）に送信する。
【０００７】
本発明の実施例において、前記第１のメッセージは第１の識別子とＵＥ関連情報とを含むことは、
前記第１のメッセージのアクセス層（ＡＳ、Ａｃｃｅｓｓ  Ｓｔｒａｔｕｍ）パケットヘッダには前記第１の識別子が載せられ、前記第１のメッセージのパケット本体には前記ＵＥ関連情報が載せられることを含む。
【０００８】
本発明の実施例において、前記第１のメッセージのＡＳ層パケットヘッダは、ＳＤＡＰ層パケットヘッダ、又はパケットデータ集約プロトコル（ＰＤＣＰ、Ｐａｃｋｅｔ  Ｄａｔａ  Ｃｏｎｖｅｒｇｅｎｃｅ  Ｐｒｏｔｏｃｏｌ）層パケットヘッダ、又は無線リンク層制御（ＲＬＣ、Ｒａｄｉｏ  Ｌｉｎｋ  Ｃｏｎｔｒｏｌ）層パケットヘッダ、又はメディアアクセス制御（ＭＡＣ、Ｍｅｄｉａ  Ａｃｃｅｓｓ  Ｃｏｎｔｒｏｌ）層パケットヘッダ、又は物理（ＰＨＹ）層パケットヘッダである。
【０００９】
本発明の実施例において、前記第２のメッセージは前記第１の識別子と前記ＵＥ関連情報とを含むことは、
前記第２のメッセージのＧＰＲＳトンネリングプロトコル（ＧＴＰ、ＧＰＲＳ  Ｔｕｎｎｅｌｌｉｎｇ  Ｐｒｏｔｏｃｏｌ）層パケットヘッダには前記第１の識別子が載せられ、前記第１のメッセージのパケット本体には前記ＵＥ関連情報が載せられることを含む。
【００１０】
本発明の実施例において、前記ＵＥ関連情報は、
ＵＥルート選択ポリシー（ＵＲＳＰ、ＵＥ  Ｒｏｕｔｅ  Ｓｅｌｅｃｔｉｏｎ  Ｐｏｌｉｃｙ）情報、ＷＬＡＮ選択ポリシー（ＷＬＡＮＳＰ、ＷＬＡＮ  Ｓｅｌｅｃｔｉｏｎ  Ｐｏｌｉｃｙ）情報、ＵＥステータス情報の少なくとも１つを含む。
【００１１】
本発明の実施例に係る端末による情報報告方法は、
端末はＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をコントロールプレーンエンティティに送信するステップを含む。
【００１２】
本発明の実施例において、前記コントロールプレーンエンティティはＳＭＦであり、前記ＳＭＦを介して前記ＵＥ関連情報をＰＣＦに送信する。
【００１３】
本発明の実施例において、前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む。
【００１４】
本発明の実施例において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００１５】
本発明の実施例において、前記端末はＲＡＮに第１のメッセージを送信する前、前記方法はさらに、
前記ＳＭＦを介して前記ＵＰＦにセッション更新メッセージを送信し、前記ＵＰＦを介してセッション更新を行うために、前記端末は前記ＳＭＦに第１の指示メッセージを送信するステップを含み、
前記第１の指示メッセージと前記セッション更新メッセージには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる。
【００１６】
本発明の実施例において、前記ＵＥ関連情報は、
ＵＲＳＰ情報、ＷＬＡＮＳＰ情報、ＵＥステータス情報の少なくとも１つを含む。
【００１７】
本発明の実施例に係る端末による情報報告方法は、
ＵＰＦはＲＡＮによって送信された第２のメッセージを受信するステップであって、前記第２のメッセージは前記第１の識別子と前記ＵＥ関連情報とを含むステップと、
前記ＵＰＦは、前記第２のメッセージでの前記第１の識別子を識別した後、前記ＵＥ関連情報をコントロールプレーンエンティティに送信するステップと、を含む。
【００１８】
本発明の実施例において、前記コントロールプレーンエンティティはＳＭＦであり、前記ＳＭＦを介して前記ＵＥ関連情報をＰＣＦに送信する。
【００１９】
本発明の実施例において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００２０】
本発明の実施例において、前記ＵＰＦはＲＡＮによって送信された第２のメッセージを受信する前に、前記方法はさらに、
前記ＵＰＦは前記ＳＭＦによって送信されたセッション更新メッセージを受信し、セッション更新を行い、前記ＵＰＦがセッション更新を行った後、前記ＲＡＮによって送信された前記第２のメッセージでの前記第１の識別子を識別し、前記ＵＥ関連情報を前記ＳＭＦに送信することができるステップを含む。
【００２１】
本発明の実施例において、前記ＵＥ関連情報は、
ＵＲＳＰ情報、ＷＬＡＮＳＰ情報、ＵＥステータス情報の少なくとも１つを含む。
【００２２】
本発明の実施例に係る端末による情報報告用装置は、
端末によって送信された第１のメッセージを受信するための受信ユニットであって、前記第１のメッセージは第１の識別子とＵＥ関連情報とを含む受信ユニットと、
ＵＰＦに前記第１の識別子と前記ＵＥ関連情報とを含む第２のメッセージを送信することにより、前記ＵＰＦを介して前記第２のメッセージでの前記第１の識別子を識別した後、前記ＵＥ関連情報をコントロールプレーンエンティティに送信するための送信ユニットと、を含む。
【００２３】
本発明の実施例において、前記コントロールプレーンエンティティはＳＭＦであり、前記ＳＭＦを介して前記ＵＥ関連情報をＰＣＦに送信する。
【００２４】
本発明の実施例において、前記第１のメッセージは第１の識別子とＵＥ関連情報とを含むことは、
前記第１のメッセージのＡＳパケットヘッダには前記第１の識別子が載せられ、前記第１のメッセージのパケット本体には前記ＵＥ関連情報が載せられることを含む。
【００２５】
本発明の実施例において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００２６】
本発明の実施例において、前記第２のメッセージは前記第１の識別子と前記ＵＥ関連情報とを含むことは
前記第２のメッセージのＧＴＰ層パケットヘッダには前記第１の識別子が載せられ、前記第１のメッセージのパケット本体には前記ＵＥ関連情報が載せられることを含む。
【００２７】
本発明の実施例において、前記ＵＥ関連情報は、
ＵＲＳＰ情報、ＷＬＡＮＳＰ情報、ＵＥステータス情報の少なくとも１つを含む。
【００２８】
本発明の実施例に係る端末による情報報告用装置は、
ＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をコントロールプレーンエンティティに送信するための第１の送信ユニットを含む。
【００２９】
本発明の実施例において、前記コントロールプレーンエンティティはＳＭＦであり、前記ＳＭＦを介して前記ＵＥ関連情報をＰＣＦに送信する。
【００３０】
本発明の実施例において、前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む。
【００３１】
本発明の実施例において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００３２】
本発明の実施例において、前記装置はさらに、
前記ＳＭＦを介して前記ＵＰＦにセッション更新メッセージを送信し、前記ＵＰＦを介してセッション更新を行うために、前記ＳＭＦに第１の指示メッセージを送信するための第２の送信ユニットを含み、
前記第１の指示メッセージと前記セッション更新メッセージには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる。
【００３３】
本発明の実施例において、前記ＵＥ関連情報は、
ＵＲＳＰ情報、ＷＬＡＮＳＰ情報、ＵＥステータス情報の少なくとも１つを含む。
【００３４】
本発明の実施例に係る端末による情報報告用装置は、
ＲＡＮによって送信された第２のメッセージを受信するための第１の受信ユニットであって、前記第２のメッセージは前記第１の識別子と前記ＵＥ関連情報とを含む第１の受信ユニットと、
前記第２のメッセージでの前記第１の識別子を識別するための識別ユニットと、
前記ＵＥ関連情報をコントロールプレーンエンティティに送信するための送信ユニットと、を含む。
【００３５】
本発明の実施例において、前記コントロールプレーンエンティティはＳＭＦであり、前記ＳＭＦを介して前記ＵＥ関連情報をＰＣＦに送信する。
【００３６】
本発明の実施例において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００３７】
本発明の実施例において、前記装置はさらに、
前記ＳＭＦによって送信されたセッション更新メッセージを受信するための第２の受信ユニットと、
セッション更新を行うためのセッション更新ユニットであって、前記ＵＰＦがセッション更新を行った後、前記ＲＡＮによって送信された前記第２のメッセージでの前記第１の識別子を識別し、前記ＵＥ関連情報を前記ＳＭＦに送信することができるセッション更新ユニットと、を含む。
【００３８】
本発明の実施例において、前記ＵＥ関連情報は、
ＵＲＳＰ情報、ＷＬＡＮＳＰ情報、ＵＥステータス情報の少なくとも１つを含む。
【００３９】
本発明の実施例に係るコンピュータ記憶媒体であって、コンピュータ実行可能な命令を記憶し、当該コンピュータ実行可能な命令がプロセッサによって実行されるとき、上記の端末による情報報告方法を実現する。
【発明の効果】
【００４０】
本発明の実施例の技術的解決手段では、端末はＲＡＮに第１の識別子とＵＥ関連情報とを含む第１のメッセージを送信することにより、前記ＲＡＮを介してＵＰＦに第２のメッセージを送信し、前記第２のメッセージは前記第１の識別子と前記ＵＥ関連情報とを含み、前記ＵＰＦを介して前記第２のメッセージでの前記第１の識別子を識別した後、前記ＵＥ関連情報をＳＭＦに送信し、さらに前記ＳＭＦを介して前記ＵＥ関連情報をＰＣＦに送信する。本発明の実施例の技術的解決手段を利用することにより、端末はユーザプレーンを介してＵＥ関連情報をコアネットワークのＰＣＦに報告することができ、コアネットワークによる端末の管理が強化される。
【図面の簡単な説明】
【００４１】
本明細書で説明する図面は、本発明に対する更なる理解を提供するためのものであり、本願の一部を構成し、本発明の例示的実施例及びその説明は、本発明を解釈するためのものであり、本発明に対する過度な制限を構成するものではない。図面では、
【図１】本発明の実施例の５Ｇネットワークのシステムアーキテクチャ図である。
【図２】本発明の実施例の端末による情報報告方法のフローチャート１である。
【図３】本発明の実施例の端末による情報報告方法のフローチャート２である。
【図４】本発明の実施例の端末による情報報告方法のフローチャート３である。
【図５】本発明の実施例の端末による情報報告用装置の構造構成概略図１である。
【図６】本発明の実施例の端末による情報報告用装置の構造構成概略図２である。
【図７】本発明の実施例の端末による情報報告用装置の構造構成概略図３である。
【図８】本発明の実施例のコンピュータ機器の構造構成概略図である。
【発明を実施するための形態】
【００４２】
本発明の実施例の特徴と技術的内容をさらに詳細に理解できるために、以下は図面を合わせて本発明の実施例の実現を詳細に説明し、添付した図面は参照と説明するためのものにすぎず、本発明の実施例を限定するためのものではない。
【００４３】
図１は、本発明の実施例の５Ｇネットワークのシステムアーキテクチャ図であり、図１に示すように、５Ｇネットワークシステムに係る機器は、
端末（ＵＥ、Ｕｓｅｒ  Ｅｑｕｉｐｍｅｎｔ）、無線アクセスネットワーク（ＲＡＮ、Ｒａｄｉｏ  Ａｃｃｅｓｓ  Ｎｅｔｗｏｒｋ）、ユーザプレーン機能（ＵＰＦ、Ｕｓｅｒ  Ｐｌａｎｅ  Ｆｕｎｃｔｉｏｎ）、データネットワーク（ＤＮ、Ｄａｔａ  Ｎｅｔｗｏｒｋ）、コアネットワークアクセスとモビリティ管理（ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ、Ｓｅｓｓｉｏｎ  Ｍａｎａｇｅｍｅｎｔ  Ｆｕｎｃｔｉｏｎ）、ポリシー制御機能（ＰＣＦ、Ｐｏｌｉｃｙ  Ｃｏｎｔｒｏｌ  Ｆｕｎｃｔｉｏｎ）、アプリケーション機能（ＡＦ、Ａｐｐｌｉｃａｔｉｏｎ  Ｆｕｎｃｔｉｏｎ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、統合されたデータ管理（ＵＤＭ、Ｕｎｉｆｉｅｄ  Ｄａｔａ  Ｍａｎａｇｅｍｅｎｔ）を含む。
【００４４】
上記図１の例は本発明の実施例を実現するための１つのネットワークアーキテクチャ実例にすぎず、本発明の実施例は上記図１に記載のネットワーク構造に限定されない。
【００４５】
図２は、本発明の実施例の端末による情報報告方法のフローチャート１であり、本実施例の端末による情報報告方法はＲＡＮ側に適用され、図２に示すように、前記端末による情報報告方法は以下のステップを含む。
【００４６】
ステップ２０１において、ＲＡＮは端末によって送信された第１のメッセージを受信し、前記第１のメッセージは第１の識別子とＵＥ関連情報とを含む。
【００４７】
本発明の実施例において、前記端末は、携帯電話、タブレット、ラップトップ、デスクトップなどのネットワークと通信できる任意の機器であってもよい。
【００４８】
本発明の実施例において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００４９】
本発明の実施例において、前記第１のメッセージはＲＡＮと端末との間のユーザプレーンプロトコルを介して伝送される。
【００５０】
本発明の実施例において、前記第１のメッセージは第１の識別子とＵＥ関連情報とを含むことは、
前記第１のメッセージのＡＳパケットヘッダには前記第１の識別子が載せられ、前記第１のメッセージのパケット本体には前記ＵＥ関連情報が載せられることを含む。
【００５１】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。好ましくは、前記第１のメッセージのＡＳ層パケットヘッダはＰＤＣＰ層パケットヘッダである。
【００５２】
ステップ２０２において、前記ＲＡＮはＵＰＦに前記第１の識別子と前記ＵＥ関連情報とを含む第２のメッセージを送信することにより、前記ＵＰＦを介して前記第２のメッセージでの前記第１の識別子を識別した後、前記ＵＥ関連情報をコントロールプレーンエンティティに送信する。
【００５３】
本発明の実施例において、前記コントロールプレーンエンティティはＳＭＦであり、前記ＳＭＦを介して前記ＵＥ関連情報をＰＣＦに送信する。
【００５４】
本発明の実施例において、前記第２のメッセージはＲＡＮとＵＰＦとの間のユーザプレーンプロトコルを介して伝送される。
【００５５】
本発明の実施例において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００５６】
本発明の実施例において、ＵＰＦは前記第２のメッセージを受信した後、前記第２のメッセージには前記第１の識別子が載せられることを識別し、これにより、前記ＵＥ関連情報をＳＭＦに送信し、前記ＳＭＦを介して前記ＵＥ関連情報をＰＣＦに送信する必要があると分けられる。
【００５７】
本発明の実施例の技術的解決手段では、端末側のＰＤＣＰ層パケットヘッダ及びＲＡＮ側のＧＴＰ−Ｕパケットヘッダに新たな識別子（即ち、前記第１の識別子）を添加し、当該識別子がＵＰＦによって受信された後、データパケットの内容（即ち、前記ＵＥ関連情報）はＳＭＦに送信され、これにより、ＳＭＦによってＰＣＦに引き続き送信されることができる。
【００５８】
図３は、本発明の実施例の端末による情報報告方法のフローチャート２であり、本実施例の端末による情報報告方法は端末側に適用され、図３に示すように、前記端末による情報報告方法は以下のステップを含む。
【００５９】
ステップ３０１において、端末はＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、さらに前記ＵＰＦを介して前記第２のメッセージでの前記第１の識別子を識別した後、前記ＵＥ関連情報をコントロールプレーンエンティティに送信する。
【００６０】
本発明の実施例において、前記コントロールプレーンエンティティはＳＭＦであり、前記ＳＭＦを介して前記ＵＥ関連情報をＰＣＦに送信する。
【００６１】
本発明の実施例において、前記端末は、携帯電話、タブレット、ラップトップ、デスクトップなどのネットワークと通信できる任意の機器であってもよい。
【００６２】
本発明の実施例において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００６３】
本発明の実施例において、前記第１のメッセージはＲＡＮと端末との間のユーザプレーンプロトコルを介して伝送される。
【００６４】
本発明の実施例において、前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む。
【００６５】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００６６】
本発明の実施例において、前記第１の識別子は端末とネットワーク側との間にプロトコルが成立した識別子であってもよく、端末によってカスタマイズされた識別子であってもよい。前記第１の識別子は端末とネットワーク側との間にプロトコルが成立した識別子である場合、端末はＲＡＮに第１のメッセージを直接に送信することができ、ＲＡＮはＵＰＦに第２のメッセージを送信し、ＵＰＦによって第２のメッセージでの第１の識別子を識別した後、ＵＥ関連情報をＳＭＦに送信し、これにより、ＰＣＦに転送する。前記第１の識別子は端末によってカスタマイズされた識別子である場合、前記端末はＲＡＮに第１のメッセージを送信する前に、前記方法はさらに、
前記端末は前記ＳＭＦに第１の指示メッセージを送信することにより、前記ＳＭＦを介して前記ＵＰＦにセッション更新メッセージを送信し、さらに前記ＵＰＦを介してセッション更新を行うステップを含み、
前記第１の指示メッセージと前記セッション更新メッセージとには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる。
【００６７】
具体的に実現するとき、端末はＳＭ−ＮＡＳメッセージ（例えば、ＰＤＵ  Ｓｅｓｓｉｏｎ  Ｍｏｄｉｆｉｃａｔｉｏｎ）を介して第１の識別子及びユーザ状態情報をＰＣＦに送信する必要があるという指示をＳＭＦに通知し、ＳＭＦはさらに、セッション更新（Ｓｅｓｓｉｏｎ  Ｕｐｄａｔｅ）メッセージを介して第１の識別子をＵＰＦに送信し、ＵＰＦがセッションを更新し、さらに当該第１の識別子を識別できるフィルター（Ｆｉｌｔｅｒ）を対応するセッションに取り付ける。ＵＰＦがＰＤＵセッション変更（ＰＤＵ  Ｓｅｓｓｉｏｎ  Ｍｏｄｉｆｉｃａｔｉｏｎ）を完了した後、端末は伝送する必要のあるＵＥ関連情報のパッケージ化を開始し、ＰＤＣＰ層パケットヘッダに第１の識別子を打ち付け、ＲＡＮがＧＴＰデータパケットに転換される場合、対応するＧＴＰ（例えば、ＧＴＰ−Ｕ）層パケットヘッダに第１の識別子を打ち付け、ＵＰＦが第１の識別子を識別した後、ＵＥ関連情報をＳＭＦに送信し、ＳＭＦがさらにＵＥ関連情報をＰＣＦに送信する。この間には、ＳＭＦがＵＥ関連情報をセンサーできる。
【００６８】
図４は、本発明の実施例の端末による情報報告方法のフローチャート３であり、本実施例の端末による情報報告方法はＵＰＦ側に適用され、図４に示すように、前記端末による情報報告方法は以下のステップを含む。
【００６９】
ステップ４０１において、ＵＰＦはＲＡＮによって送信された第２のメッセージを受信し、前記第２のメッセージは前記第１の識別子と前記ＵＥ関連情報とを含む。
【００７０】
本発明の実施例において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００７１】
本発明の実施例において、前記第２のメッセージはＲＡＮとＵＰＦとの間のユーザプレーンプロトコルを介して伝送される。
【００７２】
本発明の実施例において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００７３】
ステップ４０２において、前記ＵＰＦは前記第２のメッセージでの前記第１の識別子を識別した後、前記ＵＥ関連情報をコントロールプレーンエンティティに送信する。
【００７４】
本発明の実施例において、前記コントロールプレーンエンティティはＳＭＦであり、前記ＳＭＦを介して前記ＵＥ関連情報をＰＣＦに送信する。
【００７５】
本発明の実施例において、前記第１の識別子は端末とネットワーク側との間にプロトコルが成立した識別子であってもよく、端末によってカスタマイズされた識別子であってもよい。前記第１の識別子は端末とネットワーク側との間にプロトコルが成立した識別子である場合、端末はＲＡＮに第１のメッセージを直接に送信することができ、ＲＡＮはＵＰＦに第２のメッセージを送信し、ＵＰＦが第２のメッセージでの第１の識別子を識別した後、ＵＥ関連情報をＳＭＦに送信し、さらに、ＰＣＦに転送する。前記第１の識別子は端末によってカスタマイズされた識別子である場合、前記ＵＰＦはＲＡＮによって送信された第２のメッセージを受信する前に、前記方法はさらに、
前記ＵＰＦは前記ＳＭＦによって送信されたセッション更新メッセージを受信し、セッション更新を行い、前記ＵＰＦがセッション更新を行った後、前記ＲＡＮによって送信された前記第２のメッセージでの前記第１の識別子を識別し、前記ＵＥ関連情報を前記ＳＭＦに送信することができるステップを含む。
【００７６】
図５は、本発明の実施例の端末による情報報告用装置の構造構成概略図１であり、前記端末による情報報告用装置はＲＡＮ側に適用され、図５に示すように、前記端末による情報報告用装置は、
端末によって送信された第１の識別子とＵＥ関連情報とを含む第１のメッセージを受信するための受信ユニット５０１と、
ＵＰＦに前記第１の識別子と前記ＵＥ関連情報とを含む第２のメッセージを送信するための送信ユニット５０２であって、前記ＵＰＦを介して前記第２のメッセージでの前記第１の識別子を識別した後、前記ＵＥ関連情報をコントロールプレーンエンティティに送信する送信ユニット５０２と、を含む。
【００７７】
１つの実施形態において、前記コントロールプレーンエンティティはＳＭＦであり、前記ＳＭＦを介して前記ＵＥ関連情報をＰＣＦに送信する。
【００７８】
１つの実施形態において、前記第１のメッセージは第１の識別子とＵＥ関連情報とを含むことは、
前記第１のメッセージのＡＳパケットヘッダには前記第１の識別子が載せられ、前記第１のメッセージのパケット本体には前記ＵＥ関連情報が載せられることを含む。
【００７９】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００８０】
１つの実施形態において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００８１】
１つの実施形態において、前記ＵＥ関連情報は、
ＵＲＳＰ情報、ＷＬＡＮＳＰ情報、ＵＥステータス情報の少なくとも１つを含む。
【００８２】
当業者は、図５に示すような端末による情報報告用装置の各ユニットによって実現される機能は前述した端末による情報報告方法の関連説明を参照して理解することができると理解すべきである。図５に示すような端末による情報報告用装置での各ユニットの機能はプロセッサで実行されるプログラムを介して実現されてもよく、具体的なロジック回路を介して実現されてもよい。
【００８３】
図６は、本発明の実施例の端末による情報報告用装置の構造構成概略図２であり、前記端末による情報報告用装置は端末側に適用され、図６に示すように、前記端末による情報報告用装置は、
ＲＡＮに第１の識別子とＵＥ関連情報とを含む第１のメッセージを送信することにより、前記ＲＡＮを介してＵＰＦに前記第１の識別子と前記ＵＥ関連情報とを含む第２のメッセージを送信し、前記ＵＰＦを介して前記第２のメッセージでの前記第１の識別子を識別した後、前記ＵＥ関連情報をコントロールプレーンエンティティに送信するための第１の送信ユニット６０１を含む。
【００８４】
１つの実施形態において、前記コントロールプレーンエンティティはＳＭＦであり、前記ＳＭＦを介して前記ＵＥ関連情報をＰＣＦに送信する。
【００８５】
１つの実施形態において、前記第１のメッセージは第１の識別子とＵＥ関連情報とを含むことは、
前記第１のメッセージのアクセス層ＡＳパケットヘッダには前記第１の識別子が載せられ、前記第１のメッセージのパケット本体には前記ＵＥ関連情報が載せられることを含む。
【００８６】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００８７】
１つの実施形態において、前記装置はさらに、
前記ＳＭＦを介して前記ＵＰＦにセッション更新メッセージを送信し、前記ＵＰＦを介してセッション更新を行うために、前記ＳＭＦに第１の指示メッセージを送信するための第２の送信ユニット６０２を含み、
前記第１の指示メッセージと前記セッション更新メッセージには前記第１の識別子が載せられ、前記第１の識別子は前記ＵＥ関連情報を前記ＰＣＦに送信する必要があると指示するためのものであり、
前記セッション更新メッセージは前記ＵＰＦがセッション更新を行うようにトリガーするためのものであり、これにより、前記ＵＰＦがセッション更新を行った後、前記ＲＡＮによって送信された前記第２のメッセージでの前記第１の識別子を識別し、前記ＵＥ関連情報を前記ＳＭＦに送信することができる。
【００８８】
１つの実施形態において、前記ＵＥ関連情報は、
ＵＲＳＰ情報、ＷＬＡＮＳＰ情報、ＵＥステータス情報の少なくとも１つを含む。
【００８９】
当業者は、図６に示すような端末による情報報告用装置の各ユニットによって実現される機能は前述した端末による情報報告方法の関連説明を参照して理解することができると理解すべきである。図６に示すような端末による情報報告用装置での各ユニットの機能はプロセッサで実行されるプログラムを介して実現されてもよく、具体的なロジック回路を介して実現されてもよい。
【００９０】
図７は、本発明の実施例の端末による情報報告用装置の構造構成概略図３であり、前記端末による情報報告用装置はＵＰＦ側に適用され、図７に示すように、前記端末による情報報告用装置は、
ＲＡＮによって送信された前記第１の識別子と前記ＵＥ関連情報とを含む第２のメッセージを受信するための第１の受信ユニット７０１と、
前記第２のメッセージでの前記第１の識別子を識別するための識別ユニット７０２と、
前記ＵＥ関連情報をコントロールプレーンエンティティに送信するための送信ユニット７０３と、を含む。
【００９１】
１つの実施形態において、前記コントロールプレーンエンティティはＳＭＦであり、前記ＳＭＦを介して前記ＵＥ関連情報をＰＣＦに送信する。
【００９２】
１つの実施形態において、前記第２のメッセージは前記第１の識別子と前記ＵＥ関連情報とを含むことは、
前記第２のメッセージのＧＴＰ層パケットヘッダには前記第１の識別子が載せられ、前記第１のメッセージのパケット本体には前記ＵＥ関連情報が載せられることを含む。
【００９３】
１つの実施形態において、前記装置はさらに、
前記ＳＭＦによって送信されたセッション更新メッセージを受信するための第２の受信ユニット７０４と、
セッション更新を行うセッション更新ユニット７０５であって、前記ＵＰＦがセッション更新を行った後、前記ＲＡＮによって送信された前記第２のメッセージでの前記第１の識別子を識別し、前記ＵＥ関連情報を前記ＳＭＦに送信することができるためのセッション更新ユニット７０５と、を含む。
【００９４】
１つの実施形態において、前記ＵＥ関連情報は、
ＵＲＳＰ情報、ＷＬＡＮＳＰ情報、ＵＥステータス情報の少なくとも１つを含む。
【００９５】
当業者は、図７に示すような端末による情報報告用装置の各ユニットによって実現される機能は前述した端末による情報報告方法の関連説明を参照して理解することができると理解すべきである。図７に示すような端末による情報報告用装置での各ユニットの機能はプロセッサで実行されるプログラムを介して実現されてもよく、具体的なロジック回路を介して実現されてもよい。
【００９６】
本発明の実施例の上記の端末による情報報告装置は、ソフトウェア機能ユニットの形で実施され、独立した製品として販売または使用される場合、１つのコンピュータ可読記憶媒体に記憶されてもよい。このような理解に基づき、本発明の実施例の技術的解決手段は、本質的にソフトウェア製品の形で具現化されてもよいし、従来の技術に寄与する部分がソフトウェア製品の形で具現化されてもよい。当該コンピューターソフトウェア製品は、１つの記憶媒体に記憶され、コンピュータ機器（パーソナルコンピュータ、サーバ、又はネットワーク機器などであってもよい）に、本発明の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本発明の実施例は特定したハードウェアとソフトウェアの任意の組み合わせに限定されない。
【００９７】
対応的に、本発明の実施例はさらに、コンピュータ記憶媒体を提供し、前記コンピュータ記憶媒体にコンピュータ実行可能な命令が記憶され、当該コンピュータ実行可能な命令がプロセッサによって実行されるとき、本発明の実施例の上記の端末による情報報告方法を実現する。
【００９８】
図８は、本発明の実施例のコンピュータ機器の構造構成概略図であり、当該コンピュータ機器は、端末であってもよく、ネットワーク機器であってもよい。図８に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図８に示すような構造が例示的なものにすぎず、上記電子装置の構造を限定するようなものではないと理解できる。例えば、コンピュータ機器１００はさらに、図８に示すコンポーネントより多い数の又は少ない数のコンポーネントを含んでもよく、または、図８に示す設定と異なる設定を持ってもよい。
【００９９】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続されることができる。上記ネットワークの実例は、インターネット、イントラネット、ローカルエリアネットワーク、モバイル通信ネットワーク、及びそれらの組み合わせを含むが、それらに限定されない。
【０１００】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができるネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１０１】
本発明の実施例に記載の技術的解決手段は、競合することなく任意に組み合わせることができる。
【０１０２】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの互いの結合又は直接的な結合又は通信接続は、いくつかのインタフェース、機器又はユニットを用いる間接的接続又は通信接続であってもよく、電気的形態、機械的形態又はその他の形態であってもよい。
【０１０３】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１０４】
また、本発明の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１０５】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【図１】
2021516480.tif 000003
【図２】
2021516480.tif 000004
【図３】
2021516480.tif 000005
【図４】
2021516480.tif 000006
【図５】
2021516480.tif 000007
【図６】
2021516480.tif 000008
【図７】
2021516480.tif 000009
【図８】
2021516480.tif 000010
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
端末情報の報告方法であって、前記方法は、
ユーザプレーン機能（ＵＰＦ、ｕｓｅｒ  ｐｌａｎｅ  ｆｕｎｃｔｉｏｎ）エンティティは無線アクセスネットワーク（ＲＡＮ、ｒａｄｉｏ  ａｃｃｅｓｓ  ｎｅｔｗｏｒｋ）エンティティによって送信された第２のメッセージを受信するステップであって、前記第２のメッセージは第１の識別子とユーザ機器（ＵＥ、ｕｓｅｒ  ｅｑｕｉｐｍｅｎｔ）関連情報とを含むステップと、
前記ＵＰＦエンティティは前記第２のメッセージでの前記第１の識別子を識別した後、前記ＵＥ関連情報をコントロールプレーンエンティティに送信するステップと、を含む端末情報の報告方法。
【請求項２】
前記第１の識別子と前記ＵＥ関連情報は、端末によって前記ＲＡＮエンティティに送信される第１のメッセージに載せられる請求項１に記載の方法。
【請求項３】
前記コントロールプレーンエンティティはセッション管理機能（ＳＭＦ、ｓｅｓｓｉｏｎ  ｍａｎａｇｅｍｅｎｔ  ｆｕｎｃｔｉｏｎ）エンティティであり、前記ＳＭＦエンティティを介して前記ＵＥ関連情報をポリシー制御機能（ＰＣＦ、ｐｏｌｉｃｙ  ｃｏｎｔｒｏｌ  ｆｕｎｃｔｉｏｎ）エンティティに送信する請求項１に記載の方法。
【請求項４】
前記第２のメッセージの一般的なパケット無線サービストンネリングプロトコル（ＧＴＰ、ｇｅｎｅｒａｌ  ｐａｃｋｅｔ  ｒａｄｉｏ  ｓｅｒｖｉｃｅ  ｔｕｎｎｅｌｌｉｎｇ  ｐｒｏｔｏｃｏｌ）層パケットヘッダには前記第１の識別子が載せられ、前記第２のメッセージのパケット本体には前記ＵＥ関連情報が載せられることを含む請求項１に記載の方法。
【請求項５】
前記ＵＰＦエンティティはＲＡＮエンティティによって送信された第２のメッセージを受信する前に、前記方法はさらに、
前記ＵＰＦエンティティはＳＭＦエンティティによって送信されたセッション更新メッセージを受信し、セッション更新を行い、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるステップを含む請求項１に記載の方法。
【請求項６】
前記ＵＥ関連情報は、
ＵＥルート選択ポリシー（ＵＲＳＰ、ＵＥ  ｒｏｕｔｅ  ｓｅｌｅｃｔｉｏｎ  ｐｏｌｉｃｙ）情報、ワイヤレスローカルエリアネットワーク選択ポリシー（ＷＬＡＮＳＰ、ｗｉｒｅｌｅｓｓ  ｌｏｃａｌ  ａｒｅａ  ｎｅｔｗｏｒｋ  ｓｅｌｅｃｔｉｏｎ  ｐｏｌｉｃｙ）情報、ＵＥステータス情報の少なくとも１つを含む請求項１〜請求項５のいずれか１項に記載の方法。
【請求項７】
端末情報の報告装置であって、前記装置は、
無線アクセスネットワーク（ＲＡＮ、ｒａｄｉｏ  ａｃｃｅｓｓ  ｎｅｔｗｏｒｋ）エンティティによって送信された第１の識別子とユーザ機器（ＵＥ、ｕｓｅｒ  ｅｑｕｉｐｍｅｎｔ）関連情報とを含む第２のメッセージを受信するための第１の受信ユニットと、
前記第２のメッセージでの前記第１の識別子を識別するための識別ユニットと、
前記ＵＥ関連情報をコントロールプレーンエンティティに送信するための送信ユニットと、を含む端末情報の報告装置。
【請求項８】
前記第１の識別子と前記ＵＥ関連情報は、端末によって前記ＲＡＮエンティティに送信される第１のメッセージに載せられる請求項７に記載の装置。
【請求項９】
前記コントロールプレーンエンティティはセッション管理機能（ＳＭＦ、ｓｅｓｓｉｏｎ  ｍａｎａｇｅｍｅｎｔ  ｆｕｎｃｔｉｏｎ）エンティティであり、前記ＳＭＦエンティティを介して前記ＵＥ関連情報をポリシー制御機能（ＰＣＦ、ｐｏｌｉｃｙ  ｃｏｎｔｒｏｌ  ｆｕｎｃｔｉｏｎ）エンティティに送信する請求項７に記載の装置。
【請求項１０】
前記第２のメッセージの一般的なパケット無線サービストンネリングプロトコル（ＧＴＰ、ｇｅｎｅｒａｌ  ｐａｃｋｅｔ  ｒａｄｉｏ  ｓｅｒｖｉｃｅ  ｔｕｎｎｅｌｌｉｎｇ  ｐｒｏｔｏｃｏｌ）層パケットヘッダには前記第１の識別子が載せられ、前記第２のメッセージのパケット本体には前記ＵＥ関連情報が載せられることを含む請求項７に記載の装置。
【請求項１１】
前記装置はさらに、
前記ＳＭＦエンティティによって送信されたセッション更新メッセージを受信するための第２の受信ユニットと、
セッション更新を行うためのセッション更新ユニットであって、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるセッション更新ユニットと、を含む請求項７に記載の装置。
【請求項１２】
前記ＵＥ関連情報は、
ＵＥルート選択ポリシー（ＵＲＳＰ、ＵＥ  ｒｏｕｔｅ  ｓｅｌｅｃｔｉｏｎ  ｐｏｌｉｃｙ）情報、ワイヤレスローカルエリアネットワーク選択ポリシー（ＷＬＡＮＳＰ、ｗｉｒｅｌｅｓｓ  ｌｏｃａｌ  ａｒｅａ  ｎｅｔｗｏｒｋ  ｓｅｌｅｃｔｉｏｎ  ｐｏｌｉｃｙ）情報、ＵＥステータス情報の少なくとも１つを含む請求項７〜請求項１１のいずれか１項に記載の装置。
【請求項１３】
コンピュータ記憶媒体であって、前記コンピュータ記憶媒体にコンピュータ実行可能な命令が記憶され、当該コンピュータ実行可能な命令がプロセッサによって実行されるとき、請求項１〜請求項６のいずれか１項に記載の方法のステップを実現するコンピュータ記憶媒体。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に関し、特に端末による情報報告方法及び装置、コンピュータ記憶媒体に関する。
【背景技術】
【０００２】
ビッグデータ技術の出現に伴い、端末のリアルタイムの状況に基づいて端末に戦略を変更することは非常に重要になっている。端末は、現在、例えば、端末の現在の位置、端末の現在のデータ使用量などの無線通信に関するデータを報告することができず、端末は、ＯＴＴ（Ｏｖｅｒ  Ｔｈｅ  Ｔｏｐ）サーバにアプリケーションに関するデータのみを報告することができる。
【０００３】
端末がいかにしてコアネットワークに無線通信に関するデータを報告することは解決しようとする問題である。
【発明の概要】
【発明が解決しようとする課題】
【０００４】
本発明の実施例は、上記技術的問題を解決するために、端末による情報報告方法及び装置、コンピュータ記憶媒体を提供する。
【課題を解決するための手段】
【０００５】
本発明の実施例に係る端末による情報報告方法は、
アクセスネットワーク（ＲＡＮ、Ｒａｄｉｏ  Ａｃｃｅｓｓ  Ｎｅｔｗｏｒｋ）エンティティは端末によって送信された第１のメッセージを受信するステップであって、前記第１のメッセージは第１の識別子とユーザ機器（ＵＥ、ｕｓｅｒ  ｅｑｕｉｐｍｅｎｔ）関連情報とを含むステップと、
前記ＲＡＮエンティティはユーザプレーン機能（ＵＰＦ、Ｕｓｅｒ  Ｐｌａｎｅ  Ｆｕｎｃｔｉｏｎ）エンティティに第２のメッセージを送信することにより、前記ＵＰＦエンティティを介して前記第２のメッセージでの前記第１の識別子を識別した後、前記ＵＥ関連情報をコントロールプレーンエンティティに送信するステップであって、前記第２のメッセージは前記第１の識別子と前記ＵＥ関連情報とを含むステップと、を含む。
【０００６】
一実施形態において、前記コントロールプレーンエンティティは、セッション管理機能（ＳＭＦ、Ｓｅｓｓｉｏｎ  Ｍａｎａｇｅｍｅｎｔ  Ｆｕｎｃｔｉｏｎ）エンティティであり、前記ＳＭＦエンティティを介して前記ＵＥ関連情報をポリシー制御機能（ＰＣＦ、Ｐｏｌｉｃｙ  Ｃｏｎｔｒｏｌ  Ｆｕｎｃｔｉｏｎ）エンティティに送信する。
【０００７】
一実施形態において、
前記第１のメッセージのアクセス層（ＡＳ、Ａｃｃｅｓｓ  Ｓｔｒａｔｕｍ）パケットヘッダには前記第１の識別子が載せられ、前記第１のメッセージのパケット本体には前記ＵＥ関連情報が載せられることを含む。
【０００８】
一実施形態において、前記第１のメッセージのＡＳ層パケットヘッダは、サービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）層パケットヘッダ、又はパケットデータ集約プロトコル（ＰＤＣＰ、Ｐａｃｋｅｔ  Ｄａｔａ  Ｃｏｎｖｅｒｇｅｎｃｅ  Ｐｒｏｔｏｃｏｌ）層パケットヘッダ、又は無線リンク層制御（ＲＬＣ、Ｒａｄｉｏ  Ｌｉｎｋ  Ｃｏｎｔｒｏｌ）層パケットヘッダ、又はメディアアクセス制御（ＭＡＣ、Ｍｅｄｉａ  Ａｃｃｅｓｓ  Ｃｏｎｔｒｏｌ）層パケットヘッダ、又は物理（ＰＨＹ）層パケットヘッダである。
【０００９】
一実施形態において、
前記第２のメッセージのＧＰＲＳトンネリングプロトコル（ＧＴＰ、ＧＰＲＳ  Ｔｕｎｎｅｌｌｉｎｇ  Ｐｒｏｔｏｃｏｌ）層パケットヘッダには前記第１の識別子が載せられ、前記第２のメッセージのパケット本体には前記ＵＥ関連情報が載せられることを含む。
【００１０】
一実施形態において、前記ＵＥ関連情報は、
ＵＥルート選択ポリシー（ＵＲＳＰ、ＵＥ  Ｒｏｕｔｅ  Ｓｅｌｅｃｔｉｏｎ  Ｐｏｌｉｃｙ）情報、ワイヤレスローカルエリアネットワーク選択ポリシー（ＷＬＡＮＳＰ、ＷＬＡＮ  Ｓｅｌｅｃｔｉｏｎ  Ｐｏｌｉｃｙ）情報、ＵＥステータス情報の少なくとも１つを含む。
【００１１】
本発明の実施例に係る端末による情報報告方法は、
端末はＲＡＮエンティティに第１の識別子とＵＥ関連情報とを含む第１のメッセージを送信することにより、前記ＲＡＮエンティティを介してＵＰＦエンティティに前記第１の識別子と前記ＵＥ関連情報とを含む第２のメッセージを送信し、前記ＵＰＦエンティティを介して前記第２のメッセージでの前記第１の識別子を識別した後、前記ＵＥ関連情報をコントロールプレーンエンティティに送信するステップを含む。
【００１２】
一実施形態において、前記コントロールプレーンエンティティはＳＭＦエンティティであり、前記ＳＭＦエンティティを介して前記ＵＥ関連情報をＰＣＦエンティティに送信する。
【００１３】
一実施形態において、
前記第１のメッセージのアクセス層ＡＳパケットヘッダには前記第１の識別子が載せられ、前記第１のメッセージのパケット本体には前記ＵＥ関連情報が載せられることを含む。
【００１４】
一実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００１５】
一実施形態において、前記端末はＲＡＮエンティティに第１のメッセージを送信する前、前記方法はさらに、
前記ＳＭＦエンティティを介して前記ＵＰＦエンティティにセッション更新メッセージを送信し、前記ＵＰＦエンティティを介してセッション更新を行うために、前記端末は前記ＳＭＦエンティティに第１の指示メッセージを送信するステップを含み、
前記第１の指示メッセージと前記セッション更新メッセージには前記第１の識別子が載せられ、前記第１の識別子は前記ＵＥ関連情報を前記ＰＣＦエンティティに送信する必要があると指示するためのものであり、
前記セッション更新メッセージは前記ＵＰＦエンティティがセッション更新を行うようにトリガーするためのものであり、これにより、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができる。
【００１６】
一実施形態において、前記ＵＥ関連情報は、
ＵＲＳＰ情報、ＷＬＡＮＳＰ情報、ＵＥステータス情報の少なくとも１つを含む。
【００１７】
本発明の実施例に係る端末による情報報告方法は、
ＵＰＦエンティティはＲＡＮエンティティによって送信された第２のメッセージを受信するステップであって、前記第２のメッセージは前記第１の識別子と前記ＵＥ関連情報とを含むステップと、
前記ＵＰＦエンティティは、前記第２のメッセージでの前記第１の識別子を識別した後、前記ＵＥ関連情報をコントロールプレーンエンティティに送信するステップと、を含む。
【００１８】
一実施形態において、前記コントロールプレーンエンティティはＳＭＦエンティティであり、前記ＳＭＦエンティティを介して前記ＵＥ関連情報をＰＣＦエンティティに送信する。
【００１９】
一実施形態において、
前記第２のメッセージのＧＴＰ層パケットヘッダには前記第１の識別子が載せられ、前記第２のメッセージのパケット本体には前記ＵＥ関連情報が載せられることを含む。
【００２０】
一実施形態において、前記ＵＰＦエンティティはＲＡＮエンティティによって送信された第２のメッセージを受信する前に、前記方法はさらに、
前記ＵＰＦエンティティは前記ＳＭＦエンティティによって送信されたセッション更新メッセージを受信し、セッション更新を行い、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるステップを含む。
【００２１】
一実施形態において、前記ＵＥ関連情報は、
ＵＲＳＰ情報、ＷＬＡＮＳＰ情報、ＵＥステータス情報の少なくとも１つを含む。
【００２２】
本発明の実施例に係る端末による情報報告用装置は、
端末によって送信された第１のメッセージを受信するための受信ユニットであって、前記第１のメッセージは第１の識別子とＵＥ関連情報とを含む受信ユニットと、
ＵＰＦエンティティに前記第１の識別子と前記ＵＥ関連情報とを含む第２のメッセージを送信することにより、前記ＵＰＦエンティティを介して前記第２のメッセージでの前記第１の識別子を識別した後、前記ＵＥ関連情報をコントロールプレーンエンティティに送信するための送信ユニットと、を含む。
【００２３】
一実施形態において、前記コントロールプレーンエンティティはＳＭＦエンティティであり、前記ＳＭＦエンティティを介して前記ＵＥ関連情報をＰＣＦエンティティに送信する。
【００２４】
一実施形態において、
前記第１のメッセージのＡＳパケットヘッダには前記第１の識別子が載せられ、前記第１のメッセージのパケット本体には前記ＵＥ関連情報が載せられることを含む。
【００２５】
一実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００２６】
一実施形態において、
前記第２のメッセージのＧＴＰ層パケットヘッダには前記第１の識別子が載せられ、前記第２のメッセージのパケット本体には前記ＵＥ関連情報が載せられることを含む。
【００２７】
一実施形態において、前記ＵＥ関連情報は、
ＵＲＳＰ情報、ＷＬＡＮＳＰ情報、ＵＥステータス情報の少なくとも１つを含む。
【００２８】
本発明の実施例に係る端末による情報報告用装置は、
ＲＡＮエンティティに第１の識別子とＵＥ関連情報とを含む第１のメッセージを送信することにより、前記ＲＡＮエンティティを介してＵＰＦエンティティに前記第１の識別子と前記ＵＥ関連情報とを含む第２のメッセージを送信し、前記ＵＰＦエンティティを介して前記第２のメッセージでの前記第１の識別子を識別した後、前記ＵＥ関連情報をコントロールプレーンエンティティに送信するための第１の送信ユニットを含む。
【００２９】
一実施形態において、前記コントロールプレーンエンティティはＳＭＦエンティティであり、前記ＳＭＦエンティティを介して前記ＵＥ関連情報をＰＣＦエンティティに送信する。
【００３０】
一実施形態において、
前記第１のメッセージのアクセス層ＡＳパケットヘッダには前記第１の識別子が載せられ、前記第１のメッセージのパケット本体には前記ＵＥ関連情報が載せられることを含む。
【００３１】
一実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００３２】
一実施形態において、前記装置はさらに、
前記ＳＭＦエンティティを介して前記ＵＰＦエンティティにセッション更新メッセージを送信し、前記ＵＰＦエンティティを介してセッション更新を行うために、前記ＳＭＦエンティティに第１の指示メッセージを送信するための第２の送信ユニットを含み、
前記第１の指示メッセージと前記セッション更新メッセージには前記第１の識別子が載せられ、前記第１の識別子は前記ＵＥ関連情報を前記ＰＣＦエンティティに送信する必要があると指示するためのものであり、
前記セッション更新メッセージは前記ＵＰＦエンティティがセッション更新を行うようにトリガーするためのものであり、これにより、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができる。
【００３３】
一実施形態において、前記ＵＥ関連情報は、
ＵＲＳＰ情報、ＷＬＡＮＳＰ情報、ＵＥステータス情報の少なくとも１つを含む。
【００３４】
本発明の実施例に係る端末による情報報告用装置は、
ＲＡＮエンティティによって送信された第２のメッセージを受信するための第１の受信ユニットであって、前記第２のメッセージは前記第１の識別子と前記ＵＥ関連情報とを含む第１の受信ユニットと、
前記第２のメッセージでの前記第１の識別子を識別するための識別ユニットと、
前記ＵＥ関連情報をコントロールプレーンエンティティに送信するための送信ユニットと、を含む。
【００３５】
一実施形態において、前記コントロールプレーンエンティティはＳＭＦエンティティであり、前記ＳＭＦエンティティを介して前記ＵＥ関連情報をＰＣＦエンティティに送信する。
【００３６】
一実施形態において、
前記第２のメッセージのＧＴＰ層パケットヘッダには前記第１の識別子が載せられ、前記第２のメッセージのパケット本体には前記ＵＥ関連情報が載せられることを含む。
【００３７】
一実施形態において、前記装置はさらに、
前記ＳＭＦエンティティによって送信されたセッション更新メッセージを受信するための第２の受信ユニットと、
セッション更新を行うためのセッション更新ユニットであって、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるセッション更新ユニットと、を含む。
【００３８】
一実施形態において、前記ＵＥ関連情報は、
ＵＲＳＰ情報、ＷＬＡＮＳＰ情報、ＵＥステータス情報の少なくとも１つを含む。
【００３９】
本発明の実施例に係るコンピュータ記憶媒体であって、コンピュータ実行可能な命令を記憶し、当該コンピュータ実行可能な命令がプロセッサによって実行されるとき、上記の端末による情報報告方法を実現する。
【発明の効果】
【００４０】
本発明の実施例の技術的解決手段では、端末はＲＡＮエンティティに第１の識別子とＵＥ関連情報とを含む第１のメッセージを送信することにより、前記ＲＡＮエンティティを介してＵＰＦエンティティに第２のメッセージを送信し、前記第２のメッセージは前記第１の識別子と前記ＵＥ関連情報とを含み、前記ＵＰＦエンティティを介して前記第２のメッセージでの前記第１の識別子を識別した後、前記ＵＥ関連情報をＳＭＦエンティティに送信し、さらに前記ＳＭＦエンティティを介して前記ＵＥ関連情報をＰＣＦエンティティに送信する。本発明の実施例の技術的解決手段を利用することにより、端末はユーザプレーンを介してＵＥ関連情報をコアネットワークのＰＣＦエンティティに報告することができ、コアネットワークによる端末の管理が強化される。
【図面の簡単な説明】
【００４１】
本明細書で説明する図面は、本発明に対する更なる理解を提供するためのものであり、本願の一部を構成し、本発明の例示的実施例及びその説明は、本発明を解釈するためのものであり、本発明に対する過度な制限を構成するものではない。図面では、
【図１】本発明の実施例の５Ｇネットワークのシステムアーキテクチャ図である。
【図２】本発明の実施例の端末による情報報告方法のフローチャート１である。
【図３】本発明の実施例の端末による情報報告方法のフローチャート２である。
【図４】本発明の実施例の端末による情報報告方法のフローチャート３である。
【図５】本発明の実施例の端末による情報報告用装置の構造構成概略図１である。
【図６】本発明の実施例の端末による情報報告用装置の構造構成概略図２である。
【図７】本発明の実施例の端末による情報報告用装置の構造構成概略図３である。
【図８】本発明の実施例のコンピュータ機器の構造構成概略図である。
【発明を実施するための形態】
【００４２】
本発明の実施例の特徴と技術的内容をさらに詳細に理解できるために、以下は図面を合わせて本発明の実施例の実現を詳細に説明し、添付した図面は参照と説明するためのものにすぎず、本発明の実施例を限定するためのものではない。
【００４３】
図１は、本発明の実施例の５Ｇネットワークのシステムアーキテクチャ図であり、図１に示すように、５Ｇネットワークシステムに係る機器は、
端末（ＵＥ、Ｕｓｅｒ  Ｅｑｕｉｐｍｅｎｔとも呼ばれる）、無線アクセスネットワーク（ＲＡＮ、Ｒａｄｉｏ  Ａｃｃｅｓｓ  Ｎｅｔｗｏｒｋ）エンティティ、ユーザプレーン機能（ＵＰＦ、Ｕｓｅｒ  Ｐｌａｎｅ  Ｆｕｎｃｔｉｏｎ）エンティティ、データネットワーク（ＤＮ、Ｄａｔａ  Ｎｅｔｗｏｒｋ）、コアネットワークアクセスとモビリティ管理機能（ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）エンティティ、セッション管理機能（ＳＭＦ、Ｓｅｓｓｉｏｎ  Ｍａｎａｇｅｍｅｎｔ  Ｆｕｎｃｔｉｏｎ）エンティティ、ポリシー制御機能（ＰＣＦ、Ｐｏｌｉｃｙ  Ｃｏｎｔｒｏｌ  Ｆｕｎｃｔｉｏｎ）エンティティ、アプリケーション機能（ＡＦ、Ａｐｐｌｉｃａｔｉｏｎ  Ｆｕｎｃｔｉｏｎ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、統合されたデータ管理（ＵＤＭ、Ｕｎｉｆｉｅｄ  Ｄａｔａ  Ｍａｎａｇｅｍｅｎｔ）を含む。
【００４４】
上記図１の例は本発明の実施例を実現するための１つのネットワークアーキテクチャ実例にすぎず、本発明の実施例は上記図１に記載のネットワーク構造に限定されない。
【００４５】
図２は、本発明の実施例の端末による情報報告方法のフローチャート１であり、本実施例の端末による情報報告方法はＲＡＮエンティティ側に適用され、図２に示すように、前記端末による情報報告方法は以下のステップを含む。
【００４６】
ステップ２０１において、ＲＡＮエンティティは端末によって送信された第１のメッセージを受信し、前記第１のメッセージは第１の識別子とＵＥ関連情報とを含む。
【００４７】
一実施形態において、前記端末は、携帯電話、タブレット、ラップトップ、デスクトップなどのネットワークと通信できる任意の機器であってもよい。
【００４８】
一実施形態において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００４９】
一実施形態において、前記第１のメッセージはＲＡＮエンティティと端末との間のユーザプレーンプロトコルを介して伝送される。
【００５０】
一実施形態において、
前記第１のメッセージのＡＳパケットヘッダには前記第１の識別子が載せられ、前記第２のメッセージのパケット本体には前記ＵＥ関連情報が載せられることを含む。
【００５１】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。好ましくは、前記第１のメッセージのＡＳ層パケットヘッダはＰＤＣＰ層パケットヘッダである。
【００５２】
ステップ２０２において、前記ＲＡＮエンティティはＵＰＦエンティティに前記第１の識別子と前記ＵＥ関連情報とを含む第２のメッセージを送信することにより、前記ＵＰＦエンティティを介して前記第２のメッセージでの前記第１の識別子を識別した後、前記ＵＥ関連情報をコントロールプレーンエンティティに送信する。
【００５３】
一実施形態において、前記コントロールプレーンエンティティはＳＭＦエンティティであり、前記ＳＭＦエンティティを介して前記ＵＥ関連情報をＰＣＦエンティティに送信する。
【００５４】
一実施形態において、前記第２のメッセージはＲＡＮエンティティとＵＰＦエンティティとの間のユーザプレーンプロトコルを介して伝送される。
【００５５】
一実施形態において、
前記第２のメッセージのＧＴＰ層パケットヘッダには前記第１の識別子が載せられ、前記第２のメッセージのパケット本体には前記ＵＥ関連情報が載せられることを含む。
【００５６】
一実施形態において、ＵＰＦエンティティは前記第２のメッセージを受信した後、前記第２のメッセージには前記第１の識別子が載せられることを識別し、これにより、前記ＵＥ関連情報をＳＭＦエンティティに送信し、前記ＳＭＦエンティティを介して前記ＵＥ関連情報をＰＣＦエンティティに送信する必要があると分けられる。
【００５７】
本発明の実施例の技術的解決手段では、端末側のＰＤＣＰ層パケットヘッダ及びＲＡＮエンティティ側のＧＴＰ−Ｕパケットヘッダに新たな識別子（即ち、前記第１の識別子）を添加し、当該識別子がＵＰＦエンティティによって受信された後、データパケットの内容（即ち、前記ＵＥ関連情報）はＳＭＦエンティティに送信され、これにより、ＳＭＦエンティティによってＰＣＦエンティティに引き続き送信されることができる。
【００５８】
図３は、本発明の実施例の端末による情報報告方法のフローチャート２であり、本実施例の端末による情報報告方法は端末側に適用され、図３に示すように、前記端末による情報報告方法は以下のステップを含む。
【００５９】
ステップ３０１において、端末はＲＡＮエンティティに第１の識別子とＵＥ関連情報とを含む第１のメッセージを送信することにより、前記ＲＡＮエンティティを介してＵＰＦエンティティに前記第１の識別子と前記ＵＥ関連情報とを含む第２のメッセージを送信し、さらに前記ＵＰＦエンティティを介して前記第２のメッセージでの前記第１の識別子を識別した後、前記ＵＥ関連情報をコントロールプレーンエンティティに送信する。
【００６０】
一実施形態において、前記コントロールプレーンエンティティはＳＭＦエンティティであり、前記ＳＭＦエンティティを介して前記ＵＥ関連情報をＰＣＦエンティティに送信する。
【００６１】
一実施形態において、前記端末は、携帯電話、タブレット、ラップトップ、デスクトップなどのネットワークと通信できる任意の機器であってもよい。
【００６２】
一実施形態において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００６３】
一実施形態において、前記第１のメッセージはＲＡＮエンティティと端末との間のユーザプレーンプロトコルを介して伝送される。
【００６４】
一実施形態において、
前記第１のメッセージのアクセス層ＡＳパケットヘッダには前記第１の識別子が載せられ、前記第１のメッセージのパケット本体には前記ＵＥ関連情報が載せられることを含む。
【００６５】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００６６】
一実施形態において、前記第１の識別子は端末とネットワーク側との間にプロトコルが成立した識別子であってもよく、端末によってカスタマイズされた識別子であってもよい。前記第１の識別子は端末とネットワーク側との間にプロトコルが成立した識別子である場合、端末はＲＡＮエンティティに第１のメッセージを直接に送信することができ、ＲＡＮエンティティはＵＰＦエンティティに第２のメッセージを送信し、ＵＰＦエンティティによって第２のメッセージでの第１の識別子を識別した後、ＵＥ関連情報をＳＭＦエンティティに送信し、これにより、ＰＣＦエンティティに転送する。前記第１の識別子は端末によってカスタマイズされた識別子である場合、前記端末はＲＡＮエンティティに第１のメッセージを送信する前に、前記方法はさらに、
前記端末は前記ＳＭＦエンティティに第１の指示メッセージを送信することにより、前記ＳＭＦエンティティを介して前記ＵＰＦエンティティにセッション更新メッセージを送信し、さらに前記ＵＰＦエンティティを介してセッション更新を行うステップを含み、
前記第１の指示メッセージと前記セッション更新メッセージとには前記第１の識別子が載せられ、前記第１の識別子は前記ＵＥ関連情報を前記ＰＣＦエンティティに送信する必要があると指示するためのものであり、
前記セッション更新メッセージは前記ＵＰＦエンティティがセッション更新を行うようにトリガーするためのものであり、これにより、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができる。
【００６７】
具体的に実現するとき、端末はＳＭ−ＮＡＳメッセージ（例えば、ＰＤＵ  Ｓｅｓｓｉｏｎ  Ｍｏｄｉｆｉｃａｔｉｏｎ）を介して第１の識別子及びユーザ状態情報をＰＣＦエンティティに送信する必要があるという指示をＳＭＦエンティティに通知し、ＳＭＦエンティティはさらに、セッション更新（Ｓｅｓｓｉｏｎ  Ｕｐｄａｔｅ）メッセージを介して第１の識別子をＵＰＦエンティティに送信し、ＵＰＦエンティティがセッションを更新し、さらに当該第１の識別子を識別できるフィルター（Ｆｉｌｔｅｒ）を対応するセッションに取り付ける。ＵＰＦエンティティがＰＤＵセッション変更（ＰＤＵ  Ｓｅｓｓｉｏｎ  Ｍｏｄｉｆｉｃａｔｉｏｎ）を完了した後、端末は伝送する必要のあるＵＥ関連情報のパッケージ化を開始し、ＰＤＣＰ層パケットヘッダに第１の識別子を打ち付け、ＲＡＮエンティティがＧＴＰデータパケットに転換される場合、対応するＧＴＰ（例えば、ＧＴＰ−Ｕ）層パケットヘッダに第１の識別子を打ち付け、ＵＰＦエンティティが第１の識別子を識別した後、ＵＥ関連情報をＳＭＦエンティティに送信し、ＳＭＦエンティティがさらにＵＥ関連情報をＰＣＦエンティティに送信する。この間には、ＳＭＦエンティティがＵＥ関連情報をセンサーできる。
【００６８】
図４は、本発明の実施例の端末による情報報告方法のフローチャート３であり、本実施例の端末による情報報告方法はＵＰＦエンティティ側に適用され、図４に示すように、前記端末による情報報告方法は以下のステップを含む。
【００６９】
ステップ４０１において、ＵＰＦエンティティはＲＡＮエンティティによって送信された第２のメッセージを受信し、前記第２のメッセージは前記第１の識別子と前記ＵＥ関連情報とを含む。
【００７０】
一実施形態において、前記ＵＥ関連情報は端末の状態に関する任意の情報であってもよく、前記ＵＥ関連情報は、ＵＲＳＰ情報、ＷＬＡＮＳＰ情報、ＵＥステータス情報（例えば、ＵＥの現在の電力、ＵＥの位置情報、ＵＥの移動速度など）の少なくとも１つを含む。
【００７１】
一実施形態において、前記第２のメッセージはＲＡＮエンティティとＵＰＦエンティティとの間のユーザプレーンプロトコルを介して伝送される。
【００７２】
一実施形態において、
前記第２のメッセージのＧＴＰ層パケットヘッダには前記第１の識別子が載せられ、前記第２のメッセージのパケット本体には前記ＵＥ関連情報が載せられることを含む。
【００７３】
ステップ４０２において、前記ＵＰＦエンティティは前記第２のメッセージでの前記第１の識別子を識別した後、前記ＵＥ関連情報をコントロールプレーンエンティティに送信する。
【００７４】
一実施形態において、前記コントロールプレーンエンティティはＳＭＦエンティティであり、前記ＳＭＦエンティティを介して前記ＵＥ関連情報をＰＣＦエンティティに送信する。
【００７５】
一実施形態において、前記第１の識別子は端末とネットワーク側との間にプロトコルが成立した識別子であってもよく、端末によってカスタマイズされた識別子であってもよい。前記第１の識別子は端末とネットワーク側との間にプロトコルが成立した識別子である場合、端末はＲＡＮエンティティに第１のメッセージを直接に送信することができ、ＲＡＮエンティティはＵＰＦエンティティに第２のメッセージを送信し、ＵＰＦエンティティが第２のメッセージでの第１の識別子を識別した後、ＵＥ関連情報をＳＭＦエンティティに送信し、さらに、ＰＣＦエンティティに転送する。前記第１の識別子は端末によってカスタマイズされた識別子である場合、前記ＵＰＦエンティティはＲＡＮエンティティによって送信された第２のメッセージを受信する前に、前記方法はさらに、
前記ＵＰＦエンティティは前記ＳＭＦエンティティによって送信されたセッション更新メッセージを受信し、セッション更新を行い、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるステップを含む。
【００７６】
図５は、本発明の実施例の端末による情報報告用装置の構造構成概略図１であり、前記端末による情報報告用装置はＲＡＮエンティティ側に適用され、図５に示すように、前記端末による情報報告用装置は、
端末によって送信された第１の識別子とＵＥ関連情報とを含む第１のメッセージを受信するための受信ユニット５０１と、
ＵＰＦエンティティに前記第１の識別子と前記ＵＥ関連情報とを含む第２のメッセージを送信するための送信ユニット５０２であって、前記ＵＰＦエンティティを介して前記第２のメッセージでの前記第１の識別子を識別した後、前記ＵＥ関連情報をコントロールプレーンエンティティに送信する送信ユニット５０２と、を含む。
【００７７】
１つの実施形態において、前記コントロールプレーンエンティティはＳＭＦエンティティであり、前記ＳＭＦエンティティを介して前記ＵＥ関連情報をＰＣＦエンティティに送信する。
【００７８】
１つの実施形態において、
前記第１のメッセージのＡＳパケットヘッダには前記第１の識別子が載せられ、前記第１のメッセージのパケット本体には前記ＵＥ関連情報が載せられることを含む。
【００７９】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００８０】
１つの実施形態において、
前記第２のメッセージのＧＴＰ層パケットヘッダには前記第１の識別子が載せられ、前記第２のメッセージのパケット本体には前記ＵＥ関連情報が載せられることを含む。
【００８１】
１つの実施形態において、前記ＵＥ関連情報は、
ＵＲＳＰ情報、ＷＬＡＮＳＰ情報、ＵＥステータス情報の少なくとも１つを含む。
【００８２】
当業者は、図５に示すような端末による情報報告用装置の各ユニットによって実現される機能は前述した端末による情報報告方法の関連説明を参照して理解することができると理解すべきである。図５に示すような端末による情報報告用装置での各ユニットの機能はプロセッサで実行されるプログラムを介して実現されてもよく、具体的なロジック回路を介して実現されてもよい。
【００８３】
図６は、本発明の実施例の端末による情報報告用装置の構造構成概略図２であり、前記端末による情報報告用装置は端末側に適用され、図６に示すように、前記端末による情報報告用装置は、
ＲＡＮエンティティに第１の識別子とＵＥ関連情報とを含む第１のメッセージを送信することにより、前記ＲＡＮエンティティを介してＵＰＦエンティティに前記第１の識別子と前記ＵＥ関連情報とを含む第２のメッセージを送信し、前記ＵＰＦエンティティを介して前記第２のメッセージでの前記第１の識別子を識別した後、前記ＵＥ関連情報をコントロールプレーンエンティティに送信するための第１の送信ユニット６０１を含む。
【００８４】
１つの実施形態において、前記コントロールプレーンエンティティはＳＭＦエンティティであり、前記ＳＭＦエンティティを介して前記ＵＥ関連情報をＰＣＦエンティティに送信する。
【００８５】
１つの実施形態において、
前記第１のメッセージのアクセス層ＡＳパケットヘッダには前記第１の識別子が載せられ、前記第１のメッセージのパケット本体には前記ＵＥ関連情報が載せられることを含む。
【００８６】
１つの実施形態において、前記第１のメッセージのＡＳ層パケットヘッダは、ＳＤＡＰ層パケットヘッダ、又はＰＤＣＰ層パケットヘッダ、又はＲＬＣ層パケットヘッダ、又はＭＡＣ層パケットヘッダ、又はＰＨＹ層パケットヘッダである。
【００８７】
１つの実施形態において、前記装置はさらに、
前記ＳＭＦエンティティを介して前記ＵＰＦエンティティにセッション更新メッセージを送信し、前記ＵＰＦエンティティを介してセッション更新を行うために、前記ＳＭＦエンティティに第１の指示メッセージを送信するための第２の送信ユニット６０２を含み、
前記第１の指示メッセージと前記セッション更新メッセージには前記第１の識別子が載せられ、前記第１の識別子は前記ＵＥ関連情報を前記ＰＣＦエンティティに送信する必要があると指示するためのものであり、
前記セッション更新メッセージは前記ＵＰＦエンティティがセッション更新を行うようにトリガーするためのものであり、これにより、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができる。
【００８８】
１つの実施形態において、前記ＵＥ関連情報は、
ＵＲＳＰ情報、ＷＬＡＮＳＰ情報、ＵＥステータス情報の少なくとも１つを含む。
【００８９】
当業者は、図６に示すような端末による情報報告用装置の各ユニットによって実現される機能は前述した端末による情報報告方法の関連説明を参照して理解することができると理解すべきである。図６に示すような端末による情報報告用装置での各ユニットの機能はプロセッサで実行されるプログラムを介して実現されてもよく、具体的なロジック回路を介して実現されてもよい。
【００９０】
図７は、本発明の実施例の端末による情報報告用装置の構造構成概略図３であり、前記端末による情報報告用装置はＵＰＦエンティティ側に適用され、図７に示すように、前記端末による情報報告用装置は、
ＲＡＮエンティティによって送信された前記第１の識別子と前記ＵＥ関連情報とを含む第２のメッセージを受信するための第１の受信ユニット７０１と、
前記第２のメッセージでの前記第１の識別子を識別するための識別ユニット７０２と、
前記ＵＥ関連情報をコントロールプレーンエンティティに送信するための送信ユニット７０３と、を含む。
【００９１】
１つの実施形態において、前記コントロールプレーンエンティティはＳＭＦエンティティであり、前記ＳＭＦエンティティを介して前記ＵＥ関連情報をＰＣＦエンティティに送信する。
【００９２】
１つの実施形態において、
前記第２のメッセージのＧＴＰ層パケットヘッダには前記第１の識別子が載せられ、前記第２のメッセージのパケット本体には前記ＵＥ関連情報が載せられることを含む。
【００９３】
１つの実施形態において、前記装置はさらに、
前記ＳＭＦエンティティによって送信されたセッション更新メッセージを受信するための第２の受信ユニット７０４と、
セッション更新を行うセッション更新ユニット７０５であって、前記ＵＰＦエンティティがセッション更新を行った後、前記ＲＡＮエンティティによって送信された前記第２のメッセージでの前記第１の識別子を識別し、前記ＵＥ関連情報を前記ＳＭＦエンティティに送信することができるためのセッション更新ユニット７０５と、を含む。
【００９４】
１つの実施形態において、前記ＵＥ関連情報は、
ＵＲＳＰ情報、ＷＬＡＮＳＰ情報、ＵＥステータス情報の少なくとも１つを含む。
【００９５】
当業者は、図７に示すような端末による情報報告用装置の各ユニットによって実現される機能は前述した端末による情報報告方法の関連説明を参照して理解することができると理解すべきである。図７に示すような端末による情報報告用装置での各ユニットの機能はプロセッサで実行されるプログラムを介して実現されてもよく、具体的なロジック回路を介して実現されてもよい。
【００９６】
本発明の実施例の上記の端末による情報報告装置は、ソフトウェア機能ユニットの形で実施され、独立した製品として販売または使用される場合、１つのコンピュータ可読記憶媒体に記憶されてもよい。このような理解に基づき、本発明の実施例の技術的解決手段は、本質的にソフトウェア製品の形で具現化されてもよいし、従来の技術に寄与する部分がソフトウェア製品の形で具現化されてもよい。当該コンピューターソフトウェア製品は、１つの記憶媒体に記憶され、コンピュータ機器（パーソナルコンピュータ、サーバ、又はネットワーク機器などであってもよい）に、本発明の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本発明の実施例は特定したハードウェアとソフトウェアの任意の組み合わせに限定されない。
【００９７】
対応的に、本発明の実施例はさらに、コンピュータ記憶媒体を提供し、前記コンピュータ記憶媒体にコンピュータ実行可能な命令が記憶され、当該コンピュータ実行可能な命令がプロセッサによって実行されるとき、本発明の実施例の上記の端末による情報報告方法を実現する。
【００９８】
図８は、本発明の実施例のコンピュータ機器の構造構成概略図であり、当該コンピュータ機器は、端末であってもよく、ネットワーク機器であってもよい。図８に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図８に示すような構造が例示的なものにすぎず、上記電子装置の構造を限定するようなものではないと理解できる。例えば、コンピュータ機器１００はさらに、図８に示すコンポーネントより多い数の又は少ない数のコンポーネントを含んでもよく、または、図８に示す設定と異なる設定を持ってもよい。
【００９９】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続されることができる。上記ネットワークの実例は、インターネット、イントラネット、ローカルエリアネットワーク、モバイル通信ネットワーク、及びそれらの組み合わせを含むが、それらに限定されない。
【０１００】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができるネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１０１】
本発明の実施例に記載の技術的解決手段は、競合することなく任意に組み合わせることができる。
【０１０２】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの互いの結合又は直接的な結合又は通信接続は、いくつかのインタフェース、機器又はユニットを用いる間接的接続又は通信接続であってもよく、電気的形態、機械的形態又はその他の形態であってもよい。
【０１０３】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１０４】
また、本発明の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１０５】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【手続補正３】
【補正対象書類名】図面
【補正対象項目名】図２
【補正方法】変更
【補正の内容】
【図２】
2021516480.tif 000011
【手続補正４】
【補正対象書類名】図面
【補正対象項目名】図３
【補正方法】変更
【補正の内容】
【図３】
2021516480.tif 000012
【手続補正５】
【補正対象書類名】図面
【補正対象項目名】図４
【補正方法】変更
【補正の内容】
【図４】
2021516480.tif 000013
【国際調査報告】
2021516480.tif 000014
2021516480.tif 000015
2021516480.tif 000016
2021516480.tif 000017